(57)【要約】【課題】光源の数の増加を抑えながら対象物に対する人の注目を促すことが可能な技術を提供する。【解決手段】紙幣挿入口を囲むように設けられた導光板と、前記導光板の内部に光を照射する光源部と、を備え、前記導光板は、前記光源部により照射された光を反射する反射板と、前記反射板により反射された光を前記導光板の外部に拡散する拡散部と、を備える、自動取引装置１が提供される。【選択図】図１
2015176716.tif 000002
【特許請求の範囲】
【請求項１】
所定の領域の周辺に設けられた導光板と、
前記導光板の内部に光を照射する光源部と、を備え、
前記導光板は、
前記光源部により照射された光を反射する反射板と、
前記反射板により反射された光を前記導光板の外部に拡散する拡散部と、
を備える、発光装置。
【請求項２】
前記光源部は、集束レンズを備え、前記集束レンズを介して前記導光板の内部に光を照射する、
請求項１に記載の発光装置。
【請求項３】
前記発光装置は、
前記導光板の内部に設けられた光ファイバを備え、
前記光源部は、前記光ファイバの内部に光を照射し、
前記反射板は、前記光ファイバの側面から漏洩された光を反射する、
請求項１に記載の発光装置。
【請求項４】
前記発光装置は、
前記導光板の少なくとも一部を覆う遮光部材を備える、
請求項１に記載の発光装置。
【請求項５】
前記反射板は、前記光源部からの距離に応じて反射率が変化するように前記光源部により照射された光を反射する、
請求項１に記載の発光装置。
【請求項６】
前記拡散部は、前記光源部からの距離に応じて拡散率が変化するように前記反射板により反射された光を拡散する、
請求項１に記載の発光装置。
【請求項７】
前記光源部は、前記導光板に形成された切り欠き部に配置される、
請求項１に記載の発光装置。
【請求項８】
前記導光板は、前記所定の領域を囲むように設けられた、
請求項１に記載の発光装置。
【請求項９】
所定の媒体が挿入される挿入口の周辺に設けられた導光板と、
前記導光板の内部に光を照射する光源部と、を備え、
前記導光板は、
前記光源部により照射された光を反射する反射板と、
前記反射板により反射された光を前記導光板の外部に拡散する拡散部と、
を備える、自動取引装置。
【請求項１０】
前記光源部は、集束レンズを備え、前記集束レンズを介して前記導光板の内部に光を照射する、
請求項９に記載の自動取引装置。
【請求項１１】
前記自動取引装置は、
前記導光板の内部に設けられた光ファイバを備え、
前記光源部は、前記光ファイバの内部に光を照射し、
前記反射板は、前記光ファイバの側面から漏洩された光を反射する、
請求項９に記載の自動取引装置。
【請求項１２】
前記自動取引装置は、
前記導光板の少なくとも一部を覆う遮光部材を備える、
請求項９に記載の自動取引装置。
【請求項１３】
前記反射板は、前記光源部からの距離に応じて反射率が変化するように前記光源部により照射された光を反射する、
請求項９に記載の自動取引装置。
【請求項１４】
前記拡散部は、前記光源部からの距離に応じて透過率が変化するように前記反射板により反射された光を拡散する、
請求項９に記載の自動取引装置。
【請求項１５】
前記光源部は、前記導光板に形成された切り欠き部に配置される、
請求項９に記載の自動取引装置。
【請求項１６】
前記導光板は、前記所定の媒体が挿入される挿入口を囲むように設けられた、
請求項９に記載の自動取引装置。
【発明の詳細な説明】
【技術分野】
【０００１】
本発明は、発光装置および自動取引装置に関するものである。
【背景技術】
【０００２】
従来、所定の領域に対する人の注目を促すために領域の周囲に設けられた光源から光を照射する技術が開示されている（例えば、特許文献１参照）。領域としては、自動取引装置に設けられた媒体挿入口、店舗の前に設置された看板などが挙げられる。かかる技術が用いられた場合、光源から照射された光が直接的に人の目に到達すると、その人は光源がある方向に視線を向け、光源に囲まれた領域に注目するようになる。
【先行技術文献】
【特許文献】
【０００３】
【特許文献１】特開平５−２１０７７６号公報
【発明の概要】
【発明が解決しようとする課題】
【０００４】
しかしながら、より広い範囲に対して人の注目を促そうとすれば、それだけ光源の数が増加してしまうのが一般的である。そこで、本発明は、上記問題に鑑みてなされたものであり、本発明の目的とするところは、光源の数の増加を抑えながら所定の領域に対する人の注目を促すことが可能な技術を提供することにある。
【課題を解決するための手段】
【０００５】
上記問題を解決するために、本発明のある観点によれば、所定の領域の周辺に設けられた導光板と、前記導光板の内部に光を照射する光源部と、を備え、前記導光板は、前記光源部により照射された光を反射する反射板と、前記反射板により反射された光を前記導光板の外部に拡散する拡散部と、を備える、発光装置が提供される。
【０００６】
前記光源部は、集束レンズを備え、前記集束レンズを介して前記導光板の内部に光を照射してよい。
【０００７】
前記発光装置は、前記導光板の内部に設けられた光ファイバを備え、前記光源部は、前記光ファイバの内部に光を照射し、前記反射板は、前記光ファイバの側面から漏洩された光を反射してよい。
【０００８】
前記発光装置は、前記導光板の少なくとも一部を覆う遮光部材を備えてよい。
【０００９】
前記反射板は、前記光源部からの距離に応じて反射率が変化するように前記光源部により照射された光を反射してよい。
【００１０】
前記拡散部は、前記光源部からの距離に応じて拡散率が変化するように前記反射板により反射された光を拡散してよい。
【００１１】
前記光源部は、前記導光板に形成された切り欠き部に配置されてよい。
【００１２】
前記導光板は、前記所定の領域を囲むように設けられてよい。
【００１３】
また、本発明の別の観点によれば、所定の媒体が挿入される挿入口の周辺に設けられた導光板と、前記導光板の内部に光を照射する光源部と、を備え、前記導光板は、前記光源部により照射された光を反射する反射板と、前記反射板により反射された光を前記導光板の外部に拡散する拡散部と、を備える、自動取引装置が提供される。
【００１４】
前記光源部は、集束レンズを備え、前記集束レンズを介して前記導光板の内部に光を照射してよい。
【００１５】
前記自動取引装置は、前記導光板の内部に設けられた光ファイバを備え、前記光源部は、前記光ファイバの内部に光を照射し、前記反射板は、前記光ファイバの側面から漏洩された光を反射してよい。
【００１６】
前記自動取引装置は、前記導光板の少なくとも一部を覆う遮光部材を備えてよい。
【００１７】
前記反射板は、前記光源部からの距離に応じて反射率が変化するように前記光源部により照射された光を反射してよい。
【００１８】
前記拡散部は、前記光源部からの距離に応じて透過率が変化するように前記反射板により反射された光を拡散してよい。
【００１９】
前記光源部は、前記導光板に形成された切り欠き部に配置されてよい。
【００２０】
前記導光板は、前記所定の媒体が挿入される挿入口を囲むように設けられてよい。
【発明の効果】
【００２１】
以上説明したように本発明によれば、光源の数の増加を抑えながら所定の領域に対する人の注目を促すことが可能となる。
【図面の簡単な説明】
【００２２】
【図１】本発明の実施形態に係る自動取引装置の外観を示す図である。
【図２】自動取引装置の機能構成例を示すブロック図である。
【図３】第１の実施形態に係る導光板を顧客側から見た斜視図である。
【図４】第１の実施形態に係る導光板を顧客側とは反対側から見た斜視図である。
【図５】第１の実施形態に係る紙幣挿入部を顧客側から見た平面図である。
【図６】第１の実施形態に係る紙幣挿入部の断面図である。
【図７】第１の実施形態に係る光源部の側面図である。
【図８】第１の実施形態に係る光源部を照射方向とは逆方向に見た平面図である。
【図９】集束レンズを備えた光源部の側面図である。
【図１０】集束レンズを備えた光源部を照射方向とは逆方向に見た平面図である。
【図１１】遮光チューブを備えた光源部の側面図である。
【図１２】遮光チューブを備えた光源部を照射方向とは逆方向に見た平面図である。
【図１３】光源部の数を６つとした場合に係る紙幣挿入部を顧客側から見た平面図である。
【図１４】光源部の数を４つとした場合に係る紙幣挿入部を顧客側から見た平面図である。
【図１５】第２の実施形態に係る紙幣挿入部を顧客側から見た平面図である。
【図１６】第２の実施形態に係る紙幣挿入部の断面図である。
【図１７】光源部の数を６つとした場合に係る紙幣挿入部を顧客側から見た平面図である。
【図１８】光源部の数を４つとした場合に係る紙幣挿入部を顧客側から見た平面図である。
【発明を実施するための形態】
【００２３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２４】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２５】
まず、本発明の実施形態に係る自動取引装置１の全体構成の例について説明する。図１は、本発明の実施形態に係る自動取引装置１の外観を示す図である。図１を参照すると、本発明の実施形態に係る自動取引装置１は、紙幣挿入部１０と、硬貨挿入部２０と、カード挿入部３０と、表示部４０とを備えている。なお、本明細書においては、自動取引装置１がＡＴＭ（ａｕｔｏｍａｔｅｄ  ｔｅｌｌｅｒ  ｍａｃｈｉｎｅ）である場合を主に説明するが、自動取引装置１はＡＴＭ以外の装置であってもよい。
【００２６】
表示部４０は、顧客に対して取引に関する情報を表示する表示機能、顧客による操作を受け入れる入力機能などを有する。ここで、表示機能は、ＬＣＤ（Ｌｉｑｕｉｄ  Ｃｒｙｓｔａｌ  Ｄｉｓｐｌａｙ）などのディスプレイにより実現されてよい。また、入力機能は、タッチパネルなどの入力装置により実現されてよい。例えば、表示部４０は、取引（例えば、入金、出金など）を選択するための画面を表示し、取引を特定するための操作を顧客から受け入れてよい。
【００２７】
取引が開始されるに際しては、顧客によってカード挿入部３０からカードが挿入される。カード挿入部３０から挿入されたカードからは、自動取引装置１によって情報が読み取られ、カードから読み取られた情報は、自動取引装置１によってなされる取引に用いられ得る。自動取引装置１による取引が終了すると、カード挿入部３０から顧客にカードが排出される。
【００２８】
例えば、入金時には、顧客から紙幣挿入部１０に挿入された紙幣が自動取引装置１に収納されてよい。また、入金時には、顧客から硬貨挿入部２０に挿入された硬貨が自動取引装置１に収納されてよい。一方、出金時には、自動取引装置１に収納されている紙幣が紙幣挿入部１０から顧客に排出されてよい。また、出金時には、自動取引装置１に収納されている硬貨が硬貨挿入部２０から顧客に排出されてよい。
【００２９】
図２は、自動取引装置１の機能構成例を示すブロック図である。図２を参照すると、自動取引装置１は、制御部５０と、キャビネットコントローラ６０と、光源部１２０とを備えている。制御部５０は、自動取引装置１の動作全体を制御する機能を有する。例えば、制御部５０は、キャビネットコントローラ６０を制御し、キャビネットコントローラ６０は、制御部５０の制御に従って、光源部１２０（光源部１２０の点滅または点灯）を制御してよい。
【００３０】
例えば、紙幣挿入部１０に光源部１２０が設けられている場合には、制御部５０は、入金時および出金時に、紙幣挿入部１０に設けられている光源部１２０から光が照射されるように光源部１２０を制御してよい。また、例えば、硬貨挿入部２０に光源部１２０が設けられている場合には、制御部５０は、入金時および出金時に、硬貨挿入部２０に設けられている光源部１２０から光が照射されるように光源部１２０を制御してよい。
【００３１】
同様に、例えば、カード挿入部３０に光源部１２０が設けられている場合には、制御部５０は、取引開始時および取引終了時に、カード挿入部３０に設けられている光源部１２０から光が照射されるように光源部１２０を制御してよい。このように顧客に注目させたい媒体挿入部（例えば、紙幣挿入部１０、硬貨挿入部２０、カード挿入部３０など）から光が照射されるようにすれば、取引をより円滑に行うことが可能になることが期待される。
【００３２】
しかし、より広範囲に対して顧客の注目を促そうとすれば、それだけ光源部１２０の数が増加してしまうのが一般的である。光源部１２０の数が増加するほど、光源部１２０の何れかに故障が発生する可能性が高まり保守の煩雑化を伴う可能性がある。また、光源部１２０の数が増加するほど、光源部１２０による消費電力が増加する可能性もある。そこで、本明細書においては、光源部１２０の数の増加を抑えながら媒体挿入部（例えば、紙幣挿入部１０、硬貨挿入部２０、カード挿入部３０など）に対する顧客の注目を促すことが可能な技術を主に提案する。
【００３３】
なお、本明細書においては、媒体挿入部の例として紙幣挿入部１０を主に説明するが、本発明の実施形態は、他の媒体挿入部（例えば、硬貨挿入部２０、カード挿入部３０など）にも有効に適用され得る。さらに、本明細書においては、媒体挿入部に対して顧客の注目を促す例を主に説明するが、本発明の実施形態は、媒体挿入部以外のあらゆる領域に対して人の注目を促す場合にも有効に適用され得る。したがって、以下に説明する紙幣挿入部１０と同様な構成を有する発光装置も提供され得る。
【００３４】
以上、本発明の実施形態に係る自動取引装置１の全体構成の例について説明した。
【００３５】
＜第１の実施形態＞
続いて、第１の実施形態について説明する。以下に説明するように、第１の実施形態に係る紙幣挿入部１０Ａ−１は、導光板１１０を備える。導光板１１０の材質は特に限定されないが、例えば、透明樹脂であってよい。図３は、第１の実施形態に係る導光板１１０を顧客側から見た斜視図である。図３を参照すると、導光板１１０は、光を拡散する拡散部１１４を備えており、拡散部１１４によって拡散された光が顧客に到達するように構成されている。例えば、導光板１１０に対するシボ加工により拡散部１１４が形成されてよい。また、導光板１１０の四隅には、切り欠き部１１６が設けられている。拡散部１１４および切り欠き部１１６についての詳細は後に説明する。
【００３６】
図４は、第１の実施形態に係る導光板１１０を顧客側とは反対側から見た斜視図である。図４を参照すると、導光板１１０は、導光板１１０の内部に照射された光を反射する反射板１１２を備えており、反射板１１２によって反射された光が拡散部１１４に到達するように構成されている。拡散部１１４に到達した光は、拡散部１１４によって拡散されて顧客に到達する。このような導光板１１０を備える紙幣挿入部１０Ａ−１についてさらに詳細に説明する。
【００３７】
図５は、第１の実施形態に係る紙幣挿入部１０Ａ−１を顧客側から見た平面図である。また、図６は、図５に示した紙幣挿入部１０Ａ−１の断面Ａ１−Ａ１における断面図である。図５を参照すると、紙幣挿入部１０Ａ−１は、紙幣挿入口Ｐを囲むように設けられた導光板１１０を備えている。図５に示した例では、紙幣挿入口Ｐの形状は矩形となっているが、紙幣挿入口Ｐの形状は特に限定されない。したがって、導光板１１０の形状も紙幣挿入口Ｐの形状に応じて適宜に変更されてよい。なお、紙幣挿入部１０Ａ−１にはシャッタが設けられてよく、当該シャッタが適宜に紙幣挿入口Ｐを開閉してよい。
【００３８】
また、図５を参照すると、紙幣挿入部１０Ａ−１は、複数の光源部１２０を備えている。図５に示した例では、紙幣挿入口Ｐの各辺に対応して２つの光源部１２０が設けられている。より詳細には、紙幣挿入口Ｐの１つの辺に対して平行、かつ、互いに反対方向となるような光を照射する２つの光源部１２０が設けられている。しかし、後に説明するように、光源部１２０の数は特に限定されない。図５を参照すると、紙幣挿入口Ｐの各辺に沿って座標軸ｘ、ｙ、ｚ、ｗが示されている。
【００３９】
また、図６を参照すると、導光板１１０は反射板１１２を備えている。反射板１１２は、光源部１２０から照射された光を反射する。また、拡散部１１４は、反射板１１２によって反射された光を導光板１１０の外部に拡散する。図６には、拡散部１１４によって拡散された光の通過する範囲Ｌが示されている。かかる構成によれば、光源部１２０から照射された光が反射されてから顧客の目に到達するため、光源部１２０から照射された光が直接的に顧客の目に到達する場合と比較して、光源部１２０の数の増加を抑えながら紙幣挿入口Ｐに対する顧客の注目を促すことが可能となる。
【００４０】
なお、図５に示された例のように、拡散部１１４は、光源部１２０からの光の照射方向に対して平行となるように設けられるのがよい。かかる構成によれば、より多くの光を拡散させることが可能となるため、光源部１２０の数の増加をより効率よく抑えることが可能となる。また、反射板１１２は、光源部１２０からの光の照射方向に対して平行となるように設けられるのがよい。かかる構成によれば、より多くの光を反射させることが可能となるため、光源部１２０の数の増加をより効率よく抑えることが可能となる。
【００４１】
また、導光板１１０には、切り欠き部１１６が形成されていてもよい。図５を参照すると、導光板１１０の四隅それぞれには、切り欠き部１１６が形成されている。切り欠き部１１６が形成されていない場合には、導光板１１０の四隅において光源部１２０から照射された光が集まり易くなる。そのため、導光板１１０の四隅付近の拡散部１１４によって拡散される光がより強くなってしまうという現象が起こり得る。図５に示すように、切り欠き部１１６に光源部１２０が配置されれば、かかる現象が低減され得る。
【００４２】
導光板１１０から光が漏れ出してしまった場合には、光源部１２０から照射された光を効率よく拡散部１１４に送ることができなくなってしまう可能性がある。また、導光板１１０から光が漏れ出してしまった場合には、光源部１２０から照射された光を均一に拡散部１１４に送ることができなくなってしまう可能性がある。したがって、紙幣挿入部１０Ａ−１は、導光板１１０の少なくとも一部を覆う遮光部材を備えてもよい。
【００４３】
より詳細には、拡散部１１４は遮光部材によって覆われなくてよい。拡散部１１４によって拡散された光が遮光されてしまうと顧客まで光が到達しなくなってしまう可能性があるからである。また、光源部１２０と導光板１１０との接続部分も遮光部材によって覆われなくてよい。光源部１２０と導光板１１０との接続部分には遮光部材で覆うことが困難だからである。導光板１１０のうち他の領域は、遮光部材で覆われてもよい。なお、遮光部材の色は特に限定されず、白色であってもよいし、他の色であってもよい。また、遮光部材は、シートであってもよいし、塗装であってもよい。
【００４４】
また、光源部１２０から照射された光は、光源部１２０からの距離が遠くなるほど弱まってしまい、拡散部１１４によって拡散される光が不均一になってしまう可能性がある。そこで、拡散部１１４によって拡散される光が均一になるようにするとよい。例えば、反射板１１２は、光源部１２０からの距離に応じて反射率が変化するように光源部１２０により照射された光を反射してよい。より詳細には、反射板１１２は、光源部１２０からの距離が遠くなるほど、反射率が高くなるように光を反射してよい。
【００４５】
反射率をどのように変化させるかは特に限定されない。例えば、光を反射する性質を有する塗装を反射板１１２に施すことを想定した場合、反射板１１２に施される塗装の濃度を変化させることによって反射率を変化させてもよい。具体的には、反射板１１２に施される塗装の濃度を、光源部１２０からの距離に応じて変化させればよい。より詳細には、反射板１１２に施される塗装の濃度が、光源部１２０からの距離が遠くなるほど、高くなるようにすればよい。塗装の色は特に限定されず、白色であってもよいし、他の色であってもよい。
【００４６】
また、例えば、拡散部１１４は、光源部１２０からの距離に応じて拡散率が変化するように反射板１１２により反射された光を拡散してよい。より詳細には、拡散部１１４は、光源部１２０からの距離が遠くなるほど、拡散率が高くなるように光を拡散してよい。拡散率をどのように変化させるかは特に限定されない。
【００４７】
例えば、拡散部１１４の透明度（拡散部１１４の曇り度合い）を変化させることによって拡散率を変化させてもよい。具体的には、拡散部１１４の透明度（拡散部１１４の曇り度合い）を、光源部１２０からの距離に応じて変化させればよい。より詳細には、拡散部１１４の透明度が、光源部１２０からの距離が遠くなるほど、高くなるようにすればよい（拡散部１１４の曇り度合いが、光源部１２０からの距離が遠くなるほど、低くなるようにすればよい）。
【００４８】
続いて、光源部１２０の構成例について説明する。図７は、第１の実施形態に係る光源部１２０の側面図である。また、図８は、第１の実施形態に係る光源部１２０を照射方向とは逆方向に見た平面図である。特に、図７および図８には、光源部１２０の一例として光源部１２０−１の構成例が示されている。図７および図８に示されたように、光源部１２０‐１は、光源１２１と、基板１２２と、光源収納部１２３と、電源コネクタ１２４と、電源コード１２５とを備えている。
【００４９】
光源１２１の種類は特に限定されないが、例えば、光源１２１は、ＬＥＤ（ｌｉｇｈｔ  ｅｍｉｔｔｉｎｇ  ｄｉｏｄｅ）であってよい。図７に示すように、光源１２１は基板１２２の上に設けられてよい。また、図７に示すように、基板１２２には電源コネクタ１２４が接続されており、図示しない電源から送られた電流が、電源コード１２５、電源コネクタ１２４および基板１２２を介して光源１２１に供給されると、光源１２１は、供給された電流を用いて発光することが可能である。
【００５０】
また、図７および図８に示すように、光源収納部１２３には、光源１２１および基板１２２が収納されてよい。光源収納部１２３が透明な材質であれば、光源１２１から照射された光は、光源収納部１２３を通過して導光板１１０の内部に送られ得る。また、光源１２１から照射された光の漏れを少なくするため、光源収納部１２３の先端部分は、導光板１１０に差し込むことが可能であってよい。また、図７および図８に示すように、光源収納部１２３には、電源コネクタ１２４が差し込まれてよい。
【００５１】
ここで、光源１２１から照射される光は、指向性が弱い場合も想定される。例えば、光源１２１から照射される光の指向性が弱いほど、拡散部１１４に到達しないうちに導光板１１０の外部に漏れてしまう光の量も多くなってしまい、拡散部１１４によって拡散される光が不均一になってしまう可能性がある。そこで、光源１２１から照射される光の指向性を強めるための何らかの措置が施されてもよい。以下においては、光源１２１から照射される光の指向性を強めるための具体的な手法の例を説明する。
【００５２】
まず、光源１２１から照射される光の指向性を強めるための具体的な手法の例として、集束レンズを用いる場合を説明する。図９は、集束レンズ１２６を備えた光源部１２０‐２の側面図である。また、図１０は、集束レンズ１２６を備えた光源部１２０‐２を照射方向とは逆方向に見た平面図である。図９および図１０に示すように、光源１２１は、集束レンズ１２６を介して導光板１１０の内部に光を照射するようにしてもよい。このようにすれば、光源１２１から照射された光が集束レンズ１２６において集束されるため、光源１２１から照射される光の指向性を強めることが可能となる。
【００５３】
なお、集束レンズ１２６はどのように配置されてもよいが、例えば、図９に示すように、光源収納部１２３の先端部分に取り付けられてもよい。図９を参照すると、集束レンズ１２６によって集束された光の通過する範囲Ｒ１が示されている。ここで、集束レンズ１２６と光源収納部１２３との間には隙間が生じ得るため、隙間から漏れ出してしまう光も存在し得る。さらに、集束レンズ１２６の端部を通過する光は、集束されずに漏れ出してしまう可能性もある。図９には、このようにして漏れ出してしまう光の通過する範囲Ｒ２、Ｒ３が示されている。
【００５４】
このようにして漏れ出してしまう光は、導光板１１０の一部を集中的に照らしてしまう可能性があるため、導光板１１０の輝度を不均一にしてしまう可能性がある。したがって、このようにして漏れ出してしまう光を遮光チューブによって遮るようにしてもよい。図１１は、遮光チューブ１２７を備えた光源部１２０−３の側面図である。また、図１２は、遮光チューブ１２７を備えた光源部１２０−３を照射方向とは逆方向に見た平面図である。
【００５５】
例えば、図１１および図１２に示すように、遮光チューブ１２７は、集束レンズ１２６と光源収納部１２３との間に生じる隙間から漏れ出す光を遮光するように光源収納部１２３に装着されてもよい。また、例えば、図１１および図１２に示すように、遮光チューブ１２７は、集束レンズ１２６の端部から漏れ出す光を遮光するように光源収納部１２３に装着されてもよい。なお、遮光チューブ１２７の代わりに、遮光部材が用いられてもよい。遮光部材の色は特に限定されず、白色であってもよいし、他の色であってもよい。また、遮光部材は、シートであってもよいし、塗装であってもよい。
【００５６】
以上、光源部１２０の構成例について説明した。上記においては、紙幣挿入口Ｐの各辺に対応して２つの光源部１２０が設けられている例を説明した。しかし、光源部１２０の数は特に限定されない。図１３は、光源部１２０の数を６つとした場合に係る紙幣挿入部１０Ａ−２を顧客側から見た平面図である。例えば、紙幣挿入口Ｐの長辺より短辺のほうが光源部１２０から照射された光が導光板１１０の端まで到達しやすいことが想定される。したがって、図１３に示した例のように、紙幣挿入口Ｐの２つの短辺それぞれに対応して１つずつの光源部１２０が設けられ、紙幣挿入口Ｐの２つの長辺それぞれに対応して２つずつの光源部１２０が設けられてもよい。
【００５７】
図１４は、光源部１２０の数を４つとした場合に係る紙幣挿入部１０Ａ−３を顧客側から見た平面図である。図１４に示した例のように、紙幣挿入口Ｐの各辺それぞれに対応して１つずつの光源部１２０が設けられてもよい。
【００５８】
以上、第１の実施形態について説明した。
【００５９】
＜第２の実施形態＞
続いて、第２の実施形態について説明する。第１の実施形態においては、光源１２１から照射される光の指向性を強めるための具体的な手法の例として、集束レンズ１２６を用いる例を説明した。第２の実施形態においては、光源１２１から照射される光の指向性を強めるための具体的な手法の例として、光ファイバの内部に光を照射する例を説明する。なお、第２の実施形態において第１の実施形態と同様の構成については説明を省略する。
【００６０】
図１５は、第２の実施形態に係る紙幣挿入部１０Ｂ−１を顧客側から見た平面図である。図１６は、図１５に示した紙幣挿入部１０Ｂ−１の断面Ａ２−Ａ２における断面図である。図１５を参照すると、紙幣挿入部１０Ｂ−１は、導光板１１０の内部に設けられた光ファイバ１３０を備えている。光源部１２０は、光ファイバ１３０の内部に光を照射し、反射板１１２は、光ファイバ１３０の側面から漏洩された光を反射する。また、拡散部１１４は、反射板１１２によって反射された光を導光板１１０の外部に拡散する。
【００６１】
図１６には、拡散部１１４によって拡散された光の通過する範囲Ｌが示されている。かかる構成によれば、第１の実施形態と同様に、光源部１２０から照射された光が反射されてから顧客の目に到達するため、光源部１２０から照射された光が直接的に顧客の目に到達する場合と比較して、光源部１２０の数の増加を抑えながら紙幣挿入口Ｐに対する顧客の注目を促すことが可能となる。
【００６２】
なお、図１５に示された例のように、拡散部１１４は、光ファイバ１３０の軸方向に対して平行となるように設けられるのがよい。かかる構成によれば、より多くの光を拡散させることが可能となるため、光源部１２０の数の増加をより効率よく抑えることが可能となる。また、反射板１１２は、光ファイバ１３０の軸方向に対して平行となるように設けられるのがよい。かかる構成によれば、より多くの光を拡散させることが可能となるため、光源部１２０の数の増加をより効率よく抑えることが可能となる。
【００６３】
また、第２の実施形態においても光源部１２０の数は特に限定されない。図１７は、光源部１２０の数を６つとした場合に係る紙幣挿入部１０Ｂ−２を顧客側から見た平面図である。例えば、紙幣挿入口Ｐの長辺より短辺のほうが光源部１２０から照射された光が導光板１１０の端まで到達しやすいことが想定される。したがって、図１７に示した例のように、紙幣挿入口Ｐの２つの短辺それぞれに対応して１つずつの光源部１２０が設けられ、紙幣挿入口Ｐの２つの長辺それぞれに対応して２つずつの光源部１２０が設けられてもよい。
【００６４】
図１８は、光源部１２０の数を４つとした場合に係る紙幣挿入部１０Ｂ−３を顧客側から見た平面図である。図１８に示した例のように、紙幣挿入口Ｐの各辺それぞれに対応して１つずつの光源部１２０が設けられてもよい。
【００６５】
以上、第２の実施形態について説明した。
【００６６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６７】
例えば、自動取引装置１の動作全体を制御するための制御部５０は、専用のハードウェアによって構成されてもよいし、自動取引装置１に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【００６８】
また、上記においては、所定の領域の一例としての紙幣挿入口Ｐに対する人の注目をより強く促すことを考慮して、導光板１１０が紙幣挿入口Ｐを囲むように設けられる例を説明した。しかし、導光板１１０は紙幣挿入口Ｐの周辺に設けられていれば、紙幣挿入口Ｐに対する人の注目を促すことが可能である。したがって、導光板１１０は分断されて設けられていてもよい。例えば、導光板１１０は、四隅の何れかにおいて分断されていてもよく、四隅のすべてにおいて分断されていてもよい。また、例えば、導光板１１０は、何れかの辺において分断されていてもよく、２つの長辺または２つの短辺において分断されていてもよい。
【符号の説明】
【００６９】
１      自動取引装置
１０    紙幣挿入部
２０    硬貨挿入部
３０    カード挿入部
４０    表示部
５０    制御部
６０    キャビネットコントローラ
１１０  導光板
１１２  反射板
１１４  拡散部
１１６  切り欠き部
１２０  光源部
１２１  光源
１２２  基板
１２３  光源収納部
１２４  電源コネクタ
１２５  電源コード
１２６  集束レンズ
１２７  遮光チューブ
１３０  光ファイバ
【図１】
2015176716.tif 000003
【図２】
2015176716.tif 000004
【図３】
2015176716.tif 000005
【図４】
2015176716.tif 000006
【図５】
2015176716.tif 000007
【図６】
2015176716.tif 000008
【図７】
2015176716.tif 000009
【図８】
2015176716.tif 000010
【図９】
2015176716.tif 000011
【図１０】
2015176716.tif 000012
【図１１】
2015176716.tif 000013
【図１２】
2015176716.tif 000014
【図１３】
2015176716.tif 000015
【図１４】
2015176716.tif 000016
【図１５】
2015176716.tif 000017
【図１６】
2015176716.tif 000018
【図１７】
2015176716.tif 000019
【図１８】
2015176716.tif 000020